(57)【要約】【課題】  長く鞄を持っていた場合でも、握り手にフィット感が持続できる鞄用把手を提供すること。【解決手段】  一方の把手３の握り部３０の下域に、他方の把手２の握り部２０を載せ置くための受け座３１を設けている。両方の把手２，３における握り部の下域にそれぞれ受け座２１，３１を形成し、一方の把手２の受け座２１に、他方の把手３の受け座３１又は／及び握り部３０を載せ置くことができるようにしてある。【選択図】  図３
0003124625.tif 000002
【実用新案登録請求の範囲】
【請求項１】
一方の把手の握り部の下域に、他方の把手の握り部を載せ置くための受け座を設けたことを特徴とする鞄用把手。
【請求項２】
両方の把手における握り部の下域にそれぞれ受け座を形成し、一方の把手の受け座に、他方の把手の受け座又は／及び握り部を載せ置くことができるようにしてあることを特徴とする鞄用把手。
【請求項３】
受け座は、他方の把手側に向かって延設されていることを特徴とする請求項１記載の鞄用把手。
【請求項４】
受け座は、一方の把手は他方の把手側に向かって、他方の把手は一方の把手側に向かって、それぞれ延設されていることを特徴とする請求項２記載の鞄用把手。
【請求項５】
受け座は、把手の握り部下面のＲ形状に沿うように形成されていることを特徴とする請求項１乃至４のいずれかに記載の鞄用把手。
【考案の詳細な説明】
【技術分野】
【０００１】
この考案は、鞄本体の前面側と後面側に取り付けられる鞄用把手に関するものである。
【背景技術】
【０００２】
この種の鞄用把手については、例えば、特許文献１に示すようなものが存在している。
【０００３】
この鞄用把手は、帯状部材により芯体を包み込ませた後に、当該帯状部材の側部相互を重ね合わせた状態で縫着形成されて成り、鞄本体の前・後面側にそれぞれ取り付けられている。
【０００４】
しかしながら、従来のものでは、一対の把手を介して鞄本体を持つと、徐々に握り手に所謂フィット感がなくなっていくという問題が生じていた。前記問題は、鞄本体内の収容部が重ければ重いほど感じるものである。
【０００５】
これは、自然状態では双方の把手の握り部は同じ高さ位置であるにもかかわらず、鞄用把手を介して鞄本体を下げた状態では、徐々に図６に示すように一方の握り部が他方の握り部内に入り込んでしまうようになるからである。
【０００６】
したがって、この種の製造・販売業者及び購入者の間では、長く鞄を持っていた場合でも、握り手にフィット感が持続できる鞄用把手が開発されることを待ち望んでいる。
【特許文献１】特開２００２―３６３８３８号公報（図２参照）
【考案の開示】
【考案が解決しようとする課題】
【０００７】
そこでこの考案は、長く鞄を持っていた場合でも、握り手にフィット感が持続できる鞄用把手を提供することを課題とする。
【課題を解決するための手段】
【０００８】
（請求項１記載の考案）
この考案の鞄用把手は、一方の把手の握り部の下域に、他方の把手の握り部を載せ置くための受け座を設けたものとしている。
【０００９】
（請求項２記載の考案）
この考案の鞄用把手は、両方の把手における握り部の下域にそれぞれ受け座を形成し、一方の把手の受け座に、他方の把手の受け座又は／及び握り部を載せ置くことができるようにしてある。
【００１０】
（請求項３記載の考案）
この考案の鞄用把手は、請求項１記載の考案に関し、受け座は、他方の把手側に向かって延設されている。
【００１１】
（請求項４記載の考案）
この考案の鞄用把手は、請求項２記載の考案に関し、受け座は、一方の把手は他方の把手側に向かって、他方の把手は一方の把手側に向かって、それぞれ延設されている。
【００１２】
（請求項５記載の考案）
この考案の鞄用把手は、請求項１乃至４のいずれかに記載の考案に関し、受け座は、把手の握り部下面のＲ形状に沿うように形成されている。
【考案の効果】
【００１３】
この考案は上述のような構成であり、次の効果を有する。
【００１４】
この考案の鞄用把手によると、長く鞄を持っていた場合でも、握り手にフィット感が持続できる。
【考案を実施するための最良の形態】
【００１５】
以下、この考案の実施の形態を、図面を参照して説明する。
【実施例１】
【００１６】
図１はこの考案の実施例１の鞄用の把手２，３（両者で鞄用把手である）が施された鞄Ｂの斜視図、図２は前記把手２，３の斜視図、図３は鞄用把手を介して鞄本体１を持った状態における持ち手Ｈと双方の把手２，３との関係を示す断面図を示している。
【００１７】
（この鞄Ｂの構成について）
この鞄Ｂは、図１に示すように、前・後壁１０，１１と、上・下壁１２，１３と、左・右まち部１４，１５から成る鞄本体１と、前記前壁１０及び後壁１１にそれぞれ設けられた把手２とから構成されている。
【００１８】
上記上壁１０から左・右まち部１４，１５にかけて、図１に示すように、ファスナーＦが縫着してあり、このファスナーＦを介して物の出し入れができるようになっている。また、前壁１０には図１に示すように、ポケットＰを設けてあり、前記ポケットＰはファスナーＦ１により開閉できるようになっている。
【００１９】
（把手２，３の構成について）
把手２，３は、図１に示すように、前・後壁１０，１１に設けられた止め環４を介して取り付けられており、前後方向に自由に揺動できるようにしてある。
【００２０】
ここで、把手２，３の基本的構成は、従来の鞄用把手と変わるところは無く、帯状部材により芯体を包み込んだ後に、当該帯状部材の側部相互を重ね合わせた状態で逢着形成したものである。従来の鞄用把手と相違するのは、把手３が、これの握り部３０の下域に、把手２の握り部２０を載せ置くための受け座３１設けた点のみである。この受け座３１は、図２や図３に示すように、把手２側に向かって延設されており、把手３の握り部３０下面のＲ形状に沿って形成されている。
【００２１】
（この把手２，３を有した鞄Ｂの優れた機能について）
上述した如く、従来のものでは、一対の把手を介して鞄本体を持つと、
図４に示すように、一方の握り部が他方の握り部内に入り込んでしまうため、徐々に握り手に所謂シックリ感がなくなっていくという問題が生じていた。
【００２２】
これに対して、この鞄用の把手２，３を有した鞄Ｂでは以下のようになる。
すなわち、この鞄Ｂでは、把手２は把手３の受け座３１に載せ置かれるため、従来のもののように、一方の握り部が他方の握り部内に入り込んでしまう可能性は極めて低い。つまり、把手２，３の握り部２０，３０が安定する。
したがって、長く鞄Ｂを持っていた場合でも、握り手のフィット感は持続できる。
【００２３】
なお、受け座３１は、把手３の握り部３０下面のＲ形状に沿って形成されているから比較的保形性が高く、このため把手２，３相互は上下方向に位置ズレしにくい。
【００２４】
また、把手２，３相互は結合されているわけでは無いのでファスナーＦの開閉に手間取ることはない。
【実施例２】
【００２５】
図４はこの考案の実施例２の鞄用の把手２，３等を示す斜視図、図５は把手２の受け座２１により把手３の受け座３１を載せ置いた状態を示す側面図を示している。
【００２６】
この実施例２の鞄用把手は、図４に示すように、両方の把手２，３における握り部の下域にそれぞれ受け座２１，３１を形成し、図５に示す如く一方の把手２の受け座２１に、他方の把手３の受け座３１（受け座３１又は／及び握り部３０でもよい）を載せ置くことができるようにしたものである（逆の態様もある）。
【００２７】
なお、上記把手２，３の長さは同じ長さにしておいてもよいが、例えば、把手３０側が受け座２１に必ず載せ置かれるようにするには、把手２の長さを把手３の長さよりも少し短めにしておけばよい。
【図面の簡単な説明】
【００２８】
【図１】この考案の実施例１の鞄用把手が施された鞄の斜視図。
【図２】前記鞄用把手の斜視図。
【図３】前記鞄用把手を介して鞄本体を下げた状態における持ち手と双方の鞄用把手との関係を示す断面図。
【図４】この考案の実施例２の鞄用の把手等を示す斜視図。
【図５】前記実施例２の一方の把手の受け座に他方の把手の受け座を載せ置いた状態を示す側面図。
【図６】従来の鞄用把手を介して鞄本体を下げた状態における持ち手と双方の鞄用把手との関係を示す断面図。
【符号の説明】
【００２９】
Ｈ      持ち手
Ｂ      鞄
１      鞄本体
２      把手
２０    握り部
２１    受け座
３      把手
３０    握り部
３１    受け座
４      止め環
【図１】
0003124625.tif 000003
【図２】
0003124625.tif 000004
【図３】
0003124625.tif 000005
【図４】
0003124625.tif 000006
【図５】
0003124625.tif 000007
【図６】
0003124625.tif 000008